(57)【要約】【課題】緊急事態発生時に、緊急通報先が必要とする緊急通報情報を素早く自動的に緊急通報先に通報し、緊急通報先で適切な対応ができる緊急通報装置を提供する。【解決手段】緊急事態が緊急事態検出部２７で検出されたとき、その緊急事態の発生と現在位置測位部１４で測位された現在位置の位置情報とを、記憶部１５に記憶された緊急通報先に、無線通信部２２を介して、自動的に通報すると共に、記憶部１５に記憶された本装置および予め定めた端末装置の電話番号を、無線通信部２２を介して記憶部１５に記憶された緊急通報先に、自動的に通報するように構成する。【選択図】　図１
2004013388.tif 000002
【特許請求の範囲】
【請求項１】
緊急事態の発生を検出する緊急事態検出手段と、緊急事態の通報先及び予め定めた端末装置のそれぞれの特定番号を記憶する記憶手段と、前記緊急事態検出手段によって緊急事態の発生を検出したとき、前記緊急事態の発生を前記記憶手段に記憶された通報先に前記記憶手段に記憶された予め定めた端末装置の特定番号と共に通報する通報手段とを備えた緊急通報装置。
【請求項２】
現在位置を測位する測位手段を備え、前記緊急事態検出手段によって緊急事態の発生が検出されたとき、前記通報手段が前記通報先に前記現在位置の位置情報をも通報することを特徴とする請求項１記載の緊急通報装置。
【請求項３】
前記予め定めた端末装置が前記緊急通報装置であることを特徴とする請求項１記載の緊急通報装置。
【請求項４】
前記予め定めた端末装置が前記緊急通報装置以外の端末装置を含むことを特徴とする請求項１記載の緊急通報装置。
【請求項５】
車両に搭載され、緊急事態を検出する緊急事態検出手段と、前記緊急事態の通報先及び予め定めた端末装置のそれぞれの電話番号を記憶する記憶手段と、前記車両の現在位置を測位する測位手段と、前記緊急事態検出手段によって緊急事態が検出されたとき、前記緊急事態を前記記憶手段に記憶された通報先に通報すると共に、前記記憶手段に記憶された予め定めた端末装置の電話番号をも前記通報先に通報する通報手段とを備えた緊急通報装置。
【請求項６】
予め定めた端末装置が前記車両に搭載された緊急通報装置及び前記車両に同乗した者の携帯端末装置であることを特徴とする請求項５記載の緊急通報装置。
【発明の詳細な説明】
【０００１】
【発明の属する技術分野】
本発明は、事故、火災、盗難など、緊急事態が発生した場合、その緊急事態を素早く緊急通報先に通報する緊急通報装置に関する。
【０００２】
【従来の技術】
一般に、事故、火災、盗難などの緊急事態が発生した場合、その緊急事態を自動的に予め定めた緊急通報先に通報する緊急通報装置は公知である。そして、この種の緊急通報装置において、車両に搭載する緊急通報装置としては、緊急事態が発生したとき、その緊急事態を自動的に緊急通報先に通報するだけではなく、車両に現在位置を測位する測位装置を取り付け、その測位装置で測位した現在位置をも同時に自動的に緊急通報先に通報するものが知られている。
【０００３】
【発明が解決しようとする課題】
しかしながら、これらのものは、いずれも、緊急事態が発生した場合，緊急事態が発生した位置から一方的に緊急通報先に緊急事態及び緊急事態発生位置を知らせるだけのものであり、緊急事態の発生を通報された緊急通報先では、その緊急事態の状況を直接緊急事態発生地点にいる人より聴取できないものであった。
【０００４】
一方、この種の緊急通報装置において、緊急通報した段階で緊急通報先と通話可能なものも知られているが、この種のものでは、緊急通報先との通話の中で事故発生地点への連絡先を素早く口頭で伝えない限り、一旦、回線が切断されると、以降、緊急通報先からは一切連絡が取れないという問題があった。
【０００５】
本発明は、以上のような従来の問題点に鑑みてなされたものであり、緊急事態が発生したとき、その緊急事態発生側の連絡先をも正確に自動的に緊急通報先に緊急通報できる、優れた緊急通報装置を提供することを目的とするものである。
【０００６】
【課題を解決するための手段】
本発明の緊急通報装置は、緊急事態の発生を検出する緊急事態検出手段と、緊急事態の通報先及び予め定めた端末装置のそれぞれの特定番号を記憶する記憶手段と、緊急事態検出手段によって緊急事態の発生を検出したとき、その緊急事態の発生を記憶手段に記憶された通報先に記憶手段に記憶された予め定めた端末装置の特定番号と共に通報する通報手段とを備えた構成とした。
【０００７】
この構成により、緊急事態が発生した場合、その緊急事態を予め定めた緊急通報先に自動的に通報するというだけでなく、緊急事態発生側の連絡先、すなわち、予め定めた端末の特定番号をも緊急通報先に自動的に通報することになり、口頭で通報しなくても自動的に正確に通報され、一旦、回線が開放されても、その後、いつでも緊急通報先より緊急事態発生側に連絡を取ることができ、より正確な情報を入手することが出来るという利点を有する。
【０００８】
また、本発明の緊急通報装置は、現在位置を測位する測位手段を備え、緊急事態検出手段によって緊急事態の発生が検出されたとき、通報手段が通報先に現在位置の位置情報をも緊急通報先に通報するように構成している。
【０００９】
この構成により、緊急事態の発生地点における位置情報をも緊急通報先に正確に通報されることになり、緊急通報先で、必要な緊急車両を出動させたり、他の緊急通報先に連絡したりする場合、それらの対応をより適切に行うことが出来るという作用を有する。
【００１０】
また、本発明の緊急通報装置は、予め定めた端末装置が緊急通報装置そのものであることを特徴とする構成としている。
【００１１】
この構成により、緊急通報先に緊急通報装置の特定番号、すなわち、電話番号、メールアドレス、その他の特定番号が通報されることになり、緊急通報先との回線開放されても、緊急通報先でこの特定番号を利用して緊急通報を行った緊急通報装置を容易に正確に呼び出すことが出来、追加の緊急情報を直接聴取することが出来る。そして、この構成によれば、緊急通報した場合、必ず、その緊急通報した緊急通報装置の特定番号が緊急通報先に通報されるため、緊急通報をいたずら的に不正に行うことを未然に容易に防止することもできる。
【００１２】
また、本発明の緊急通報装置は、予め定めた端末装置が緊急通報装置以外の端末装置をも含む構成とした。
【００１３】
この構成により、緊急通報装置が何らかの原因で使用不可能な状態になったとしても、一旦、緊急事態が緊急通報先に緊急通報されれば、その後、緊急通報先より緊急事態発生側の予め定めた端末装置にいつでも連絡が取れることになり、緊急通報先において緊急事態の確認をより効率的に行うことが出来るという作用を有する。
【００１４】
また、本発明の緊急通報装置は、車両に搭載され、緊急事態を検出する緊急事態検出手段と、緊急事態の通報先及び予め定めた端末装置のそれぞれの電話番号を記憶する記憶手段と、車両の現在位置を測位する測位手段と、緊急事態検出手段によって緊急事態が検出されたとき、緊急事態を記憶手段に記憶された通報先に記憶手段に記憶された予め定めた端末装置の電話番号と共に通報する通報手段とを備えた構成とした。
【００１５】
この構成により、自動車事故などを起し、緊急事態が検出された場合、予め定めた端末装置の電話番号が自動的に緊急通報先に通報されるため、緊急通報後、緊急通報装置が使用不可能になった場合でも、緊急通報先より予め定めた端末装置を容易に呼び出すことが出来、予め定めた端末装置より緊急事態の状況をより詳しく聴取したり、通知したりすることができる。
【００１６】
また、本発明の緊急通報装置は、予め定めた端末装置が車両に搭載された緊急通報装置及び車両に同乗した者の携帯端末装置である構成とした。
【００１７】
この構成により、緊急事態が発生した場合、車両に同乗した者の携帯電話機の番号が緊急通報先に通報されることになり、緊急通報先では、その車両に同乗した者の携帯電話機に電話をかけ、緊急事態の確認を取ることが出来るという作用を有する。
【００１８】
【発明の実施の形態】
以下、本発明の一実施の形態における緊急通報装置について、図面を用いて詳細の説明する。
【００１９】
図１は、本発明の一実施の形態における緊急通報装置の概略ブロック図、図２は、同じ緊急通報装置の動作を説明する流れ図である。
【００２０】
本発明の一実施の形態における緊急通報装置は、車両に搭載され、車両の現在位置を測位し、測位した現在位置を地図情報と共に表示部に表示し、目的地をキー入力部より入力すると、目的地までの経路を検索し、その経路を表示部に表示する、いわゆる、ナビゲーションとしての機能をも有している。
【００２１】
すなわち、本発明の一実施の形態における緊急通報装置は、図１に示すように、ＧＰＳ衛星からの信号を受信するＧＰＳ受信機１１、車両の走行速度を検出する速度センサ１２、車両の方位を検出するジィロアンテナなどの方位センサ１３をそれぞれ有し、これらの受信機１１、センサ１２、１３の出力を入力とする現在位置測位部１４で車両の現在位置を測位するように構成している。そして、記憶部１５には、地図情報が記憶されており、キー入力部１６を用いて電源をオンすると、現在位置測位部１４で測位された現在位置が記憶部１５に記憶された地図情報と共に表示部１７に表示されるように構成され、更に、キー入力部１６を用いて目的地を入力し、予め定めた経路検索操作を行うと、制御部１８が記憶部１５に記憶された地図情報を基に現在位置から目的地までの最適経路を検索し、その検索された最適経路を表示部１７に表示するように構成されている。
【００２２】
そして、更に、本実施の形態では、マイク１９、スピーカ２０に接続された通話回路部２１を有し、この通話回路部２１と無線通信部２２とを介して任意の通信相手と通話可能なように構成されている。
【００２３】
また、本実施の形態では、衝突センサ２３、横転センサ２４、エアーバッグ２５などの緊急事態を検出する各センサと、急病、その他の緊急時に操作する緊急釦２６と、これらのセンサ２３、２４、２５、緊急釦２６の出力に基づいて緊急事態を検出する緊急事態検出部２７とを有し、緊急事態検出部２７が緊急事態を検出したとき、記憶部１５に記憶された緊急通報先に記憶部に記憶された予め定めた端末装置の特定番号、その他の情報を自動的に送信するように構成されている。
【００２４】
すなわち、本実施の形態では、記憶部１５に、地図情報のみならず、緊急事態の種別、メッセージ、緊急通報先の電話番号、本装置の電話番号、更には、本車両に同乗した者、あるいは、緊急事態発生時に連絡して有効な任意の者の携帯電話機、固定電話機、その他の任意の端末装置の電話番号がそれぞれ任意に書換え可能に記憶されており、緊急事態検出部２７が緊急事態を検出したとき、これらの記憶部１５に記憶された情報を基に緊急通報先にそれぞれ必要な情報を自動的に送信するように構成されている。
【００２５】
次に、本実施の形態について、その動作を詳細に説明する。
【００２６】
図２に示すように、本実施の形態では、通常（ステップ２０１のＮ）、ナビゲーション装置としての動作をしている（ステップ２０７）が、緊急事態検出部２７が緊急事態を検出する（ステップ２０１のＹ）と、緊急通報モードになり、次の通り動作する。
【００２７】
すなわち、緊急事態検出部２７が、車両の衝突、横転、エアーバッグの展開、その他の交通事故、急病人発生などによる緊急釦２６の操作など、いわゆる緊急事態が発生したことを検出する（ステップ２０１のＹ）と、制御部１８が、先ず記憶部１５に記憶された緊急通報先の電話番号を読み出し（ステップ２０２）、その電話番号を基に発信動作を行い（ステップ２０３）、緊急連絡先に自動的に電話をする。
【００２８】
緊急通報先が応答し回線が捕捉される（ステップ２０４）と、記憶部１５に記憶された緊急事態の種別、メッセージ、本装置の電話番号、その他の端末装置の電話番号、測位部１４で測位された現在位置の位置情報が、それぞれ緊急通報先に無線通信部２２を介して送信される（ステップ２０５）。
【００２９】
なお、ここで、緊急事態の種別、メッセージは、緊急事態検出部２７がどのセンサ２３、２４、２５の信号を受けて緊急事態を検出したかによってそれぞれ決定されるように構成されており、たとえば、衝突センサ２３の信号を受けて緊急事態を検出した場合には、衝突事故を起したことを意味するため、「衝突事故発生」というようなメッセージを送信するように記憶部１５に「送信事故発生」というようなメッセージを記憶しておき、それを読み出して送信するようにする。
【００３０】
また、横転センサ２４やエアーバッグ２５の信号を受けて緊急事態を検出し場合には、横転事故あるいは大事故が発生したことを意味するので、「横転事故発生」「大事故発生」というようなメッセージを送信するように「横転事故発生」「大事故発生」というようなメッセージをそれぞれ記憶部１５に記憶しておき、これを読み出し送信するようにする。このようにすることにより、緊急事態の種別毎にそれぞれ異なるメッセージを適正に緊急通報先に通報することができることになる。
【００３１】
そして、これらの情報が緊急通報先に送信されれば、緊急通報先では、これらの情報を緊急通報用のセンタ装置で受信し、音声又は映像でこれらの情報を警告又は表示し、緊急通報先の者に報知する。そして、その後、更に、緊急通報装置は、無線通信部２２、通話回路部２１を介して、マイク１９、スピーカ２０などで緊急通報先と自動的にハンズフリー通話できるようになる（ステップ２０６）。
【００３２】
なお、本実施の形態では、緊急通報用のセンタ装置を、それぞれ次のように構成している、すなわち、第１に、緊急通報装置から緊急通報の内容、その他の情報が送信されて来たとき、それらの内容、情報をそれぞれ記憶する記憶部を有し、緊急通報装置においてセンタ装置との間の回線を切断された後でも、センタ装置においてその緊急通報の内容、情報をいつでも再び読み出し確認することができるように構成されている。
【００３３】
したがって、この構成により、センタ装置において常に適正な対応を行うことができるようになっている。第２に、緊急通報用のセンタ装置と緊急通報装置との間の回線が、緊急通報用センタ装置の操作以外の、何らかの原因で切断されたとき、それを自動的に検出し、緊急通報装置から送信された緊急通報装置又は予め定めた端末装置の電話番号、その他の特定番号を用いて、緊急通報装置又は予め定めた端末装置に自動的に発信するように構成されている。
【００３４】
したがって、万一、回線が切断された場合でも、直ちに、緊急通報のあった緊急通報装置または予め定めた端末装置に自動発信して、これらの緊急通報装置又は端末装置と通話、その他の通信を行うことが出来、緊急通報の内容を詳細に確認することが出来る。そして、第３に、緊急通報のあった緊急通報装置又は予め定めた端末装置に自動発信する場合、その自動発信する順序に予め優先度を設定することが可能なように構成されている。
【００３５】
すなわち、緊急通報のあった緊急通報装置を第１位、予め定めた端末装置をそれぞれ第２位以下としてその優先度を設定可能に構成され、第１位の優先度である緊急通報装置に発信しても回線が接続されたかったとき、第２位以下の優先度である端末装置に順次自動発信するように構成されている。
【００３６】
したがって、この構成により、緊急通報装置と連絡が取れなくなっても、その後直ちに他の端末装置と自動的に連絡が取れることになり、緊急時の対応をより適切に行うことが出来るようになる。
【００３７】
以上、本実施の形態によれば、緊急事態が発生したとき、自動的に緊急通報先に緊急事態の発生を通報するだけでなく、その際、同時に本装置の電話番号や予め記憶部に記憶した端末装置の電話番号などをそれぞれ送信するように構成しており、したがって、緊急通報先との回線が何らかの原因で切断された場合でも、緊急通報先から本装置あるいは予め定めた端末装置に容易に電話を掛けることができ、緊急事態の状況をより正しくより早く確認することが出来る。
【００３８】
特に、大きな事故の場合には、事故を起した運転手や同乗者が車内に閉じ込められてほとんど動けず、充分電話に出ることができないことがあるが、本実施の形態によれば、運転手、同乗者が所有する全ての端末装置の電話番号を予め記憶部１５に記憶しておくことにより、緊急通報先からこれらの端末装置それぞれに電話をすることにより、どれかの端末装置でその電話に出ることが出来、また、救援に駆けつけた近隣の人でも、いずれかの電話に応答して事故の状況をいち早く緊急通報先に連絡することが出来るという利点を有する。
【００３９】
また、予め定めた端末装置として、例えば、その１つに運転手の家庭の電話機を選択し、その電話機の電話番号を記憶部１５に記憶しておけば、緊急通報先からいち早くその運転手の家庭に電話で緊急事態を知らして貰えると言う利点を有する。
【００４０】
なお、本実施の形態では、緊急通報装置がナビゲーション装置としての機能も兼ね備えているが、ナビゲーション装置としての機能はなくても良い。
【００４１】
また、本実施の形態では、車両に搭載すべく構成しているが、特にその必要はなく、携帯可能なものであっても良い。また、本実施の形態では、予め定めた端末装置を電話機とし、その電話機の電話番号をそれぞれ記憶部１５に記憶するようにしているが、端末装置としては、ＰＤＡ，パソコン、その他の端末装置であっても良く、また、記憶部１５に記憶する端末装置の特定番号としては、電話番号のほかに、インターネットアドレス、メールアドレスなどであっても良い。
【００４２】
また、本実施の形態では、予め定めた端末装置の特定番号を全て緊急通報装置に設けた記憶部１５に記憶し、これらの特定番号を全て緊急時に緊急通報先に通報するようにしているが、緊急通報装置の記憶部１５に記憶する特定番号を予め定めた端末装置の一部の端末装置の特定番号のみとし、その他の端末装置の特定番号を予め緊急通報先に設けた記憶部に、一部の端末装置の特定番号と関連付けて記憶しておき、緊急通報装置より緊急通報があり、一部の端末装置の特定番号が緊急通報先に通報されたとき、この一部の端末装置の特定番号を基に他の端末装置の特定番号を緊急通報先の記憶部より読み出し、この読み出された特定番号を基に、その他の端末装置に発信するようにしてもよいことは言うまでもないことである。
【００４３】
そして、この場合、一部の端末装置として、緊急通報装置を選択すれば、他の端末装置の特定番号をすべて予め緊急通報装置の記憶部に記憶しておくことが出来る。
【００４４】
また、本実施の形態では、緊急通報先のセンタ装置についても詳細に説明したが、緊急通報先のセンタ装置については、本実施の形態以外の如何なるものであっても良いことは言うまでもないことである。
【００４５】
【発明の効果】
以上、説明したように、本発明の緊急通報装置は、緊急事態の発生を予め定めた緊急通報先に自動的に通報するというだけのものでなく、緊急事態発生時に、緊急事態発生側の連絡先、すなわち、予め定めた端末の特定番号をも自動的に緊急通報先に通報するように構成したものであり、これらの特定番号をいちいち口頭で通報しなくても自動的に正確に通報され、一旦、回線が開放されても、その後、いつでも緊急通報先より緊急事態発生側に連絡を取ることができ、緊急通報先において、より正確な情報を入手することが出来るという利点を有する。
【図面の簡単な説明】
【図１】本発明の一実施の形態における緊急通報装置の概略ブロック図
【図２】本発明の一実施の形態における緊急通報装置の動作を説明する流れ図
【符号の説明】
１１　ＧＰＳ受信機
１２　速度センサ
１３　方位センサ
１４　現在位置測位部
１５　記憶部
１６　キー入力部
１７　表示部
１８　制御部
１９　マイク
２０　スピーカ
２１　通話回路部
２２　無線通信部
２３　衝突センサ
２４　横転センサ
２５　エアーバッグ
２６　緊急釦
２７　緊急事態検出部
【図１】
2004013388.tif 000003
【図２】
2004013388.tif 000004